(57)【要約】【課題】本発明は、装置の異常発生情報を利用性が良好な状態で表示する。【解決手段】画像形成装置１は、その全体構成と部品の配置位置の情報に基づいて、該部品の位置を明示した該画像形成装置１の全体構成を示す構成図を生成する。画像形成装置１は、部品について異常状態が取得されると、画像形成装置１の動作における部品相互の相関関係から該異常状態の影響を受けて動作に異常を生じる被異常部品を抽出し、該異常部品及び該被異常部品について該異常状態を示す状態表示情報を、構成図の該部品の配置位置に付与して、表示部に表示する。【選択図】          図１
2016177207.tif 000002
【特許請求の範囲】
【請求項１】
複数の構成部品を備え、画像形成する画像形成装置において、
情報を表示出力する表示手段と、
前記画像形成装置の全体構成と前記部品の配置位置の情報を記憶する構成記憶手段と、
前記画像形成装置の全体構成と前記部品の配置位置の情報から該部品の位置を明示した該画像形成装置の全体構成を示す構成図を生成する構成図生成手段と、
前記画像形成装置の動作における前記部品相互の相関関係を記憶する相関関係記憶手段と、
前記画像形成装置の状態を取得する状態取得手段と、
前記状態取得手段が前記部品について異常状態を取得すると、前記相関関係から該異常状態の影響を受けて動作に異常を生じる被異常部品を抽出し、該異常部品及び該被異常部品について該異常状態を示す状態表示情報を、前記構成図の該部品の配置位置に付与して、前記表示手段に表示させる状態表示制御手段と、
を備えていることを特徴とする画像形成装置。
【請求項２】
前記画像形成装置は、
前記部品の状態を示す状態表示記号を記憶する記号記憶手段を、
さらに備え、
前記状態表示制御手段は、
前記異常部品及び前記被異常部品について、前記異常状態を示す前記状態表示記号を前記記号記憶手段から取得して、前記構成図の該部品の配置位置に該状態表示記号を付与して、前記表示手段に表示させることを特徴とする請求項１記載の画像形成装置。
【請求項３】
前記画像形成装置は、
着脱可能な全ての部品のうち、装着されている部品を、装着部品として検出する装着検出手段を、
さらに備え、
前記構成記憶手段は、
前記画像形成装置の全体構成として、装着可能な全ての部品を含む全体構成を記憶し、前記部品の配置位置として、装着可能な全ての部品の配置位置を記憶し、
前記構成図生成手段は、
前記構成図として、前記装着部品のみからなる全体構成と該装着部品のみの配置位置を示す構成図を生成し、
前記状態表示制御手段は、
前記異常状態を示す状態表示情報を、前記構成図の前記装着部品の配置位置に付与して、前記表示手段に表示させることを特徴とする請求項１または請求項２記載の画像形成装置。
【請求項４】
前記構成図生成手段は、
前記構成図として、前記画像形成装置の全体構成と、前記部品のうち、保守管理に必要な主要部品のみの配置位置を示す構成図を生成し、
前記相関関係記憶手段は、
前記画像形成装置の動作における前記主要部品相互の相関関係を記憶し、
前記状態表示制御手段は、
前記異常状態を示す状態表示情報を、前記構成図の前記主要部品の配置位置に付与して、前記表示手段に表示させることを特徴とする請求項１から請求項３のいずれかに記載の画像形成装置。
【請求項５】
前記画像形成装置は、
前記部品の異常状態に対する対処情報を記憶する対処情報記憶手段を、
さらに備え、
前記状態表示制御手段は、
前記状態表示情報とともに、前記異常部品の前記異常状態に対する前記対処情報を前記表示手段に表示させることを特徴とする請求項１から請求項４のいずれかに記載の画像形成装置。
【請求項６】
前記状態表示制御手段は、
前記異常部品と前記被異常部品についての前記状態情報を、該異常部品と該被異常部品を区別可能な状態で、前記表示手段に表示させることを特徴とする請求項１から請求項５のいずれかに記載の画像形成装置。
【請求項７】
前記画像形成装置は、
前記状態表示制御手段による前記被異常部品の前記状態表示のオン／オフを指示する表示指示手段を、
さらに備え、
前記状態表示制御手段は、
前記表示指示手段によるオン／オフの指示に応じて、前記表示手段による前記被異常部品の前記状態表示を制御することを特徴とする請求項１から請求項６のいずれかに記載の画像形成装置。
【請求項８】
前記状態表示制御手段は、
前記異常部品の前記異常状態の異常の程度に基いて、前記被異常部品の前記状態表示を行うか否か制御することを特徴とする請求項１から請求項６のいずれかに記載の画像形成装置。
【請求項９】
複数の部品を備え、画像形成する画像形成装置の実行する装置状態表示方法であって、
情報を表示手段に表示出力する表示処理ステップと、
前記画像形成装置の全体構成と前記部品の配置位置の情報を記憶する構成記憶手段から該全体構成と該配置位置を取得して、該部品の位置を明示した該画像形成装置の全体構成を示す構成図を生成する構成図生成処理ステップと、
前記画像形成装置の状態を取得する状態取得処理ステップと、
前記状態取得処理ステップで前記部品について異常状態が取得されると、相関関係記憶手段の記憶する前記画像形成装置の動作における前記部品相互の相関関係から該異常状態の影響を受けて動作に異常を生じる被異常部品を抽出し、該異常部品及び該被異常部品について該異常状態を示す状態表示情報を、前記構成図の該部品の配置位置に付与して、前記表示処理ステップで前記表示手段に表示させる状態表示制御処理ステップと、
を有することを特徴とする装置状態表示方法。
【請求項１０】
複数の部品を備え、画像形成する画像形成装置の搭載するプログラムであって、
制御プロセッサに、
情報を表示手段に表示出力する表示処理と、
前記画像形成装置の全体構成と前記部品の配置位置の情報を記憶する構成記憶手段から該全体構成と該配置位置を取得して、該部品の位置を明示した該画像形成装置の全体構成を示す構成図を生成する構成図生成処理と、
前記画像形成装置の状態を取得する状態取得処理と、
前記状態取得処理で前記部品について異常状態が取得されると、相関関係記憶手段の記憶する前記画像形成装置の動作における前記部品相互の相関関係から該異常状態の影響を受けて動作に異常を生じる被異常部品を抽出し、該異常部品及び該被異常部品について該異常状態を示す状態表示情報を、前記構成図の該部品の配置位置に付与して、前記表示処理で前記表示手段に表示させる状態表示制御処理と、
を実行させることを特徴とするプログラム。
【発明の詳細な説明】
【技術分野】
【０００１】
本発明は、画像形成装置、装置状態表示方法及びプログラムに関し、詳細には、装置の状態を表示する画像形成装置、装置状態表示方法及びプログラムに関する。
【背景技術】
【０００２】
各種動作部を有する装置は、異常発生時に、装置の外観画像とともに、各動作部のうち、異常発生箇所を表示することで、直感的に、異常状態と異常発生箇所を把握できるようにして、異常状態に対する対処を可能とする装置がある。
【０００３】
例えば、複写装置、複合装置等の画像形成装置は、給紙部の用紙を搬送経路に沿って搬送する用紙搬送部、搬送されてくる用紙に画像を形成する画像形成部、画像形成後の用紙を排紙トレイへ搬送する排紙搬送部等の各種動作部を備えている。そして、従来、画像形成装置は、給紙部の用紙のなし、搬送経路上での用紙ジャム、画像形成部の画像形成剤のエンプティ、画像形成部構成部材の劣化や異常等々の各部の異常の有無を検出するセンサ等の異常検出部を備えている。画像形成装置は、異常検出部が異常を検出すると、表示部に、該異常状態と異常箇所を表示している（特許文書１参照）。
【０００４】
そして、従来のこのような画像形成装置は、異常状態が発生すると、画像形成装置全体の画像に対して、該異常状態の発生した箇所を、ランプ点灯、点滅等を行うことで、表示している。
【発明の概要】
【発明が解決しようとする課題】
【０００５】
しかしながら、上記従来技術にあっては、異常発生箇所をランプの点灯、点滅等で装置全体における異常発生箇所を明示するようになっているのみであるため、該異常によって影響を受ける箇所が不明であり、該異常を回避した装置の利用を行って、装置の利用性を向上させる上で、改良の必要があった。
【０００６】
そこで、本発明は、装置の異常発生情報を利用性が良好な状態で表示することを目的としている。
【課題を解決するための手段】
【０００７】
上記目的を達成するために、請求項１記載の画像形成装置は、複数の部品を備え、画像形成する画像形成装置において、情報を表示出力する表示手段と、前記画像形成装置の全体構成と前記部品の配置位置の情報を記憶する構成記憶手段と、前記画像形成装置の全体構成と前記部品の配置位置の情報から該部品の位置を明示した該画像形成装置の全体構成を示す構成図を生成する構成図生成手段と、前記画像形成装置の動作における前記部品相互の相関関係を記憶する相関関係記憶手段と、前記画像形成装置の状態を取得する状態取得手段と、前記状態取得手段が前記部品について異常状態を取得すると、前記相関関係から該異常状態の影響を受けて動作に異常を生じる被異常部品を抽出し、該異常部品及び該被異常部品について該異常状態を示す状態表示情報を、前記構成図の該部品の配置位置に付与して、前記表示手段に表示させる状態表示制御手段と、を備えていることを特徴としている。
【発明の効果】
【０００８】
本発明によれば、装置の異常発生情報を利用性が良好な状態で表示することができる。
【図面の簡単な説明】
【０００９】
【図１】本発明の一実施例を適用した画像形成装置の概略構成図。
【図２】画像形成装置のブロック図。
【図３】給紙関連総合部品データベースの一例を示す図。
【図４】排紙関連総合部品データベースの一例を示す図。
【図５】給紙関連装着部品データベースの一例を示す図。
【図６】排紙関連装着部品データベースの一例を示す図。
【図７】画像形成装置の機能ブロック図。
【図８】装置状態表示処理を示すフローチャート。
【図９】状態表示画面の一例を示す図。
【発明を実施するための形態】
【００１０】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１１】
図１〜図９は、本発明の画像形成装置、装置状態表示方法及びプログラムの一実施例を示す図であり、図１は、本発明の画像形成装置、装置状態表示方法及びプログラムの一実施例を適用した画像形成装置１の概略構成図である。
【００１２】
図１において、画像形成装置１は、画像形成装置本体部１０に、大容量給紙部２０と後処理部３０が装着されている。画像形成装置本体部１０は、大容量給紙部２０や後処理部３０等のユニットや部品（以下、単に、部品という。）を、必要に応じて追加装着や取り外しを行うことができ、本実施例では、部品として、大容量給紙部２０と後処理部３０が装着されている。
【００１３】
画像形成装置１は、例えば、ネットワーク等を介して図示しないコンピュータ等のホスト装置に接続され、ホスト装置から送られてくる画像データと印刷要求を受信して、該印刷要求と画像データに基づいて、用紙に画像を形成する。
【００１４】
画像形成装置本体部１０は、本体筐体１１内に、２つの給紙トレイ１２ａ、１２ｂ、用紙搬送路１３、感光ドラム１４、露光部１５、現像・転写ユニット１６、トナーボトル１７及び定着部１８等を備えている。画像形成装置本体部１０は、電子写真方式で画像データに応じたトナー画像（現像剤像）を転写して形成する。給紙トレイ１２ａ、１２ｂは、上下に配設されている。以下、適宜、給紙トレイ１２ａを、上給紙トレイ１２ａ、給紙トレイ１２ｂを、下給紙トレイ１２ｂという。
【００１５】
画像形成装置本体部１０は、感光ドラム１４が、図示しない帯電部によって一様に帯電され、一様に帯電されている感光ドラム１４に、露光部１５が、画像データに基づいて、変調したレーザ光を照射して静電潜像を形成する。画像形成装置本体部１０は、静電潜像の形成されている感光ドラム１４に、現像・転写ユニット１６によって各色のトナーを重ね合わせて転写して、カラーのトナー画像を形成し、現像・転写ユニット１６に、トナーボトル１７から各色のトナーが供給される。画像形成装置本体部１０は、給紙トレイ１２ａ、１２ｂまたは大容量給紙部２０から用紙搬送路１３を通過させて用紙を、感光ドラム１４と現像・転写ユニット１６との間に搬送する。画像形成装置本体部１０は、用紙を感光ドラム１４と現像・転写ユニット１６との間へ搬送すると、感光ドラム１４上のトナー画像を、現像・転写ユニット１６によって用紙に転写させる。
【００１６】
画像形成装置本体部１０は、トナー画像の転写された用紙を、用紙搬送路１３上を定着部１８へ搬送し、定着部１８で、トナー画像を用紙に定着させ、定着の完了した用紙を、用紙搬送路１３を通して、後処理部３０へ送り出す。
【００１７】
画像形成装置本体部１０は、図示しないが、給紙トレイ１２ａ、１２ｂの用紙の有無と量を検出する用紙センサ、用紙搬送路１３上を搬送される用紙を検出して、用紙のジャムの有無を検出するジャム検出センサ、現像・転写ユニット１６及びトナーボトル１７内のトナー量を検出するトナー量検出センサ、定着温度を検出する定着温度センサ等の画像形成装置本体部１０の動作状態を検出する各種センサが設けられている。
【００１８】
大容量給紙部２０は、複数（図１では、４つ）の給紙トレイ２１ａ、２１ｂ、２２ａ、２２ｂを備え、各給紙トレイ２１ａ、２１ｂ、２２ａ、２２ｂには、それぞれ用紙サイズ、用紙厚等の用紙種別の異なる複数枚の用紙を収納可能である。大容量給紙部２０は、画像形成に際して指定された給紙トレイ２１ａ、２１ｂ、２２ａ、２２ｂ内の用紙を１枚ずつ画像形成装置本体部１０に搬送する。
【００１９】
給紙トレイ２１ａ、２１ｂは、図１の上下に配設されており、画像形成装置本体部１０に対して、給紙トレイ２２ａ、２２ｂよりも用紙搬送方向下流側に配設されている。給紙トレイ２２ａ、２２ｂは、図１の上下に配設されており、画像形成装置本体部１０に対して、給紙トレイ２１ａ、２１ｂよりも用紙搬送方向上流側に配設されている。以下、適宜、給紙トレイ２１ａ、２２ａを、上給紙トレイ２１ａ、２２ａ、給紙トレイ２１ｂ、２２ｂを、下給紙トレイ２１ｂ、２２ｂという。
【００２０】
大容量給紙部２０は、各給紙トレイ２１ａ、２１ｂ、２２ａ、２２ｂから送り出された用紙を、用紙搬送路２３を通して、画像形成装置本体部１０へ送給する。大容量給紙部２０は、給紙トレイ２１ａ、２１ｂ、２２ａ、２２ｂ内の用紙の有無と用紙量を検出する用紙センサ（図示略）及び用紙搬送路２３上を搬送される用紙のジャムの有無を検出するジャム検出センサ（図示略）等のセンサ２４（図２参照）が設けられている。
【００２１】
後処理部３０は、複数（図１では、３つ）の後処理部３１、３２、３３を備えており、各後処理部３１、３２、３３は、排紙トレイ３１ａ、３２ａ、３３ａを備えている。後処理部３０は、用紙搬送路３４により、画像形成装置本体部１０から送り込まれてくる画像形成済みの用紙を、各後処理部３１、３２、３３へ搬送する。
【００２２】
後処理部３０は、後処理部３１、３２、３３で、画像形成装置本体部１０から送り込まれてくる画像形成済みの用紙に対して、それぞれ異なる後処理、例えば、ソート、穴あけ、ステイプル等の後処理を行って、排紙トレイ３１ａ、３２ａ、３３ａに排出する。後処理部３０は、用紙搬送路３４上の用紙のジャムの有無を検出するジャム検出センサ、各後処理部３１、３２、３３の動作状態（詰まり、故障等）を検出する動作検出センサ等のセンサ３５（図２参照）を備えている。
【００２３】
画像形成装置本体部１０は、操作表示部４０を備えており、操作表示部４０は、各種ハードキー、ディスプレイ、タッチパネル、各種ランプ等を備えている。
【００２４】
操作表示部４０は、ハードキー及びタッチパネルを入力デバイスとして、該入力デバイスにより、画像形成装置本体部１０に各種動作を行わせる命令が入力操作される。操作表示部４０は、ディスプレイとして、例えば、その表面に、タッチ操作を検出するタッチパネルが設けられているタッチパネル付きＬＣＤ（Liquid Crystal Display）等が用いられている。ディスプレイは、画像形成装置本体部１０からユーザに通知する各種情報やハードキーの操作内容等の各種情報を表示し、また、機能ボタンを表示する。タッチパネルは、該機能ボタンのタッチ操作を検出して操作内容を取得する。特に、操作表示部４０は、ディスプレイに、後述するように、画像形成装置１の各部の異常発生情報を利用性が良好な状態で表示する。また、操作表示部４０の入力デバイスは、後述する本発明の装置状態表示方法において、部品の異常状態の影響を受けて動作に異常を生じる被異常部品の状態表示のオン／オフを指示するのに使用される。
【００２５】
そして、画像形成装置１は、図２に示すようにブロック構成されており、画像形成装置本体部１０が、コントローラ５０、エンジン部５１、センサ５２、操作表示部４０等を備えている。
【００２６】
大容量給紙部２０及び後処理部３０は、それぞれ上記センサ２４、３５を備えている。給紙部２０のセンサ２４は、上記用紙センサ及びジャム検出センサ等を総称したものであり、検出信号を、コントローラ５０へ出力する。後処理部３０のセンサ３５は、上記ジャム検出センサ、動作検出センサ等を総称したものであり、検出信号をコントローラ５０へ出力する。
【００２７】
コントローラ５０は、ＣＰＵ（Central Processing Unit）６１、ＲＯＭ（Read Only Memory）６２、ＲＡＭ（Random Access Memory）６３、ハードディスク６４、ネットワークＩ／Ｆ６５、エンジンＩ／Ｆ６６、操作表示部Ｉ／Ｆ６７、外部Ｉ／Ｆ６８、６９等を備えており、各部は、バス７０により接続されている。
【００２８】
エンジン部５１は、上記用紙に画像形成を行う給紙トレイ１２ａ、１２ｂ、用紙搬送路１３、感光ドラム１４、露光部１５、現像・転写ユニット１６、トナーボトル１７及び定着部１８等の各部を総称したものである。センサ５２は、上記給紙トレイ１２ａ、１２ｂの用紙の有無と量を検出する用紙センサ、用紙搬送路１３上を搬送される用紙を検出して、用紙のジャムの有無を検出するジャム検出センサ、現像・転写ユニット１６及びトナーボトル１７内のトナー量を検出するトナー量検出センサ、定着温度を検出する定着温度センサ等の画像形成装置本体部１０の動作状態を検出する各種センサを総称したものである。センサ５２は、検出信号をエンジンＩ／Ｆ６６を介してＣＰＵ６１へ出力する。
【００２９】
ＲＯＭ６２は、画像形成装置１としての基本プログラム、本発明の装置状態表示方法を実行するプログラム及び必要なシステムデータを格納している。
【００３０】
ＲＡＭ６３は、ＣＰＵ６１のワークメモリとして利用され、各種データを記憶する。
【００３１】
ＣＰＵ６１は、ＲＯＭ６２内のプログラムに基づいて、ＲＡＭ６３をワークメモリとして利用しつつ、画像形成装置１の各部を制御して、画像形成装置１としての基本動作処理を制御するとともに、本発明の装置状態表示方法を実行する。
【００３２】
ハードディスク６４は、ＣＰＵ６１の制御下で画像データ等の各種データを記憶するとともに、本発明の装置状態表示方法の実行において使用する各種データを記憶する。
【００３３】
特に、ハードディスク６４は、装置状態表示方法を実行するのに使用する総合部品データベース、装着部品データベース、画像形成装置１の全体構成、部品状態を示すアイコン（状態表示記号）及び部品状態に対する対処法情報等を記憶している。
【００３４】
画像形成装置１の全体構成は、例えば、画像形成装置１の構成を、大きな構成部分毎にブロックとして分類した構成情報等である。
【００３５】
総合部品データベースは、画像形成装置本体部１０に装着可能な部品を全て網羅した総合データベースであり、装着可能な部品は、画像形成装置本体部１０の仕様によって予め決まっているが、仕様の変更や装着可能な新たな部品の出現等によって変化する。装着部品データベースは、総合部品データベースに登録されている部品のうち、画像形成装置本体部１０に装着されている部品のみを抽出したデータベースである。総合部品データベース及び装着部品データベースは、給紙系統、排紙系統、現像剤供給系統等のように、画像形成動作における各種部材や信号等の流れの系統毎に作成されている。
【００３６】
総合部品データベースとしては、例えば、給紙関連では、図３に示すような給紙関連総合部品データベースＤＢ１が、ハードディスク６４に登録されている。給紙関連総合データベースＤＢ１は、部品ＩＤ、部品名、接続（装着）、カバー開閉、用紙残量、用紙装填方向等の項目があり、部品ＩＤは、画像形成装置本体部１０に近い部品から遠い方へと順番に番号が振られている。なお、図３の給紙関連総合部品データベースＤＢ１において、エンジントレイ上下は、給紙トレイ１２ａ、１２ｂを示し、２段給紙トレイ１上下は、大容量給紙部２０の給紙トレイ２１ａ、２１ｂを示している。また、２段給紙トレイ２上下は、大容量給紙部２０の給紙トレイ２２ａ、２２ｂを示し、２段給紙トレイ３上下は、大容量給紙部２０の給紙トレイ２２ａ、２２ｂよりもさらに画像形成装置本体部１０から遠くに装着されている２段の給紙トレイを示している。給紙関連総合部品データベースＤＢ１において、「接続」の項目における「あり」、「なし」は、その部品が画像形成装置本体部１０に装着されているか否かを示しており、「カバー開閉」は、給紙トレイのカバーの開閉状態を示している。「用紙残量」は、各給紙トレイに収納されている用紙の残量を示し、「用紙装填方向」は、各給紙トレイに収納されている用紙の装填方向を示している。
【００３７】
また、総合部品データベースとしては、例えば、排紙関連では、図４に示すような排紙関連総合部品データベースＤＢ２が、ハードディスク６４に登録されている。排紙関連総合部品データベースＤＢ２は、部品ＩＤ、部品名、接続（装着）、ドア開閉、用紙量、消耗品残量等の項目があり、部品ＩＤは、画像形成装置本体部１０に近い部品から遠い方へと順番に番号が振られている。なお、図４の排紙関連総合部品データベースＤＢ２において、フィニッシャシフトトレイは、後処理部３１の排紙トレイ３１ａを示し、スタッカトレイは、後処理部３２の排紙トレイ３２ａを示している。また、折機付きトレイは、後処理部３３の排紙トレイ３３ａを示し、リングバイダ付きトレイは、後処理部３３よりも画像形成装置本体部１０から遠くに装着される後処理部の排紙トレイを示している。排紙関連総合部品データベースＤＢ２において、「接続」の項目における「あり」、「なし」は、その部品が画像形成装置本体部１０に装着されているか否かを示しており、「ドア開閉」は、排紙トレイのドアの開閉状態を示している。「用紙量」は、各排紙トレイに排紙されている用紙の量を示し、「消耗品残量」は、各排紙トレイの後処理部で使用する消耗品の残量を示している。
【００３８】
さらに、装着部品データベースとしては、例えば、図３に示した給紙関連総合部品データベースＤＢ１の場合、図５に示すような給紙関連装着部品データベースＤＢ１１が、ＣＰＵ６１によって生成されて、ハードディスク６４に登録される。給紙関連装着部品データベースＤＢ１１は、部品ＩＤ、部品名、カバー開閉、用紙残量、用紙装填方向等の項目があり、給紙関連総合部品データベースＤＢ１のうち、「接続」が「あり」の部品が抽出されて、必要な項目が登録されている。また、給紙関連装着部品データベースＤＢ１１は、給紙関連総合部品データベースＤＢ１から抽出された部品のうち、画像形成装置本体部１０に近い方の部品から部品ＩＤが振り直されている。なお、給紙関連装着部品データベースＤＢ１１の部品ＩＤは、振り直さずに、給紙関連総合部品データベースＤＢ１の部品ＩＤのままであってもよい。また、給紙関連装着部品データベースＤＢ１１は、「カバー開閉」、「用紙残量」、「用紙装填方向」に、アイコン（状態表示記号）が登録されているが、このアイコンは、各項目についての部品の状態をどのようなアイコンで表示するかを示している。
【００３９】
各部品の状態を示すアイコンは、予め作成されてハードディスク６４またはＲＯＭ６２に登録されており、ＣＰＵ６１が、センサ５２、２４、３５からの部品の状態を示す検出信号に応じて選択して、給紙関連装着部品データベースＤＢ１１へ登録する。
【００４０】
また、装着部品データベースとしては、例えば、図４に示した排紙関連総合部品データベースＤＢ２の場合、図６に示すような排紙関連装着部品データベースＤＢ１２が、ＣＰＵ６１によって生成されて、ハードディスク６４に登録される。排紙関連装着部品データベースＤＢ１２は、部品ＩＤ、部品名、ドア開閉、用紙量、消耗品残量等の項目があり、排紙関連総合部品データベースＤＢ２のうち、「接続」が「あり」の部品が抽出されて、必要な項目が登録されている。また、排紙関連装着部品データベースＤＢ１２は、排紙関連総合部品データベースＤＢ２から抽出された部品のうち、画像形成装置本体部１０に近い方の部品から部品ＩＤが振り直されている。なお、排紙関連装着部品データベースＤＢ１２の部品ＩＤは、振り直さずに、排紙関連総合部品データベースＤＢ２の部品ＩＤのままであってもよい。また、排紙関連装着部品データベースＤＢ１２は、「ドア開閉」、「用紙量」、「消耗品残量」に、アイコンが登録されているが、このアイコンは、各項目についての部品の状態をどのようなアイコンで表示するかを示している。
【００４１】
なお、図３から図６には、給紙関連と排紙関連、特に、給紙トレイと排紙トレイについて示されているが、ハードディスク６４は、画像形成装置１の動作状態を検出して、表示するのに必要な各部品について、上記同様のデータベースが登録されている。例えば、画像形成装置本体部１０の用紙搬送路１３、大容量給紙部２０の用紙搬送路２３、後処理部３０の用紙搬送路３４等における部品についての総合部品データベースと装着部品データベースが登録されている。
【００４２】
ハードディスク６４は、上記部品が異常状態、例えば、ドア開、用紙なし、ジャム発生等の状態が発生した際に、該異常状態に対する対処方法を示す対処情報をも、各部品毎に格納されている。この対処情報は、例えば、ドア開の場合、「ドアを閉めてください。」、用紙なしの場合、「用紙を補給してください。」、用紙ジャムの場合、「ジャム紙を取り除いてください。」等である。
【００４３】
また、ハードディスク６４は、画像形成装置１の動作（画像形成動作）における各部品相互の相関関係を記憶する。この相関関係は、用紙の搬送系統については、上記総合部品データベース及び装着部品データベースにおいて、部品ＩＤとして記憶されている。すなわち、画像形成装置１の画像形成動作において用紙の搬送における相関関係は、画像形成装置本体部１０を中心として、画像形成装置本体部１０に近い部品の異常が、画像形成装置本体部１０から遠い部品に影響するという相関関係がある。ハードディスク６４は、このような相関関係を、用紙の搬送に関連する部品についてだけでなく、画像形成動作において、相互に関連する部品間の相関関係を記憶している。
【００４４】
そして、ＣＰＵ６１は、ハードディスク６４の画像形成装置１の全体構成と部品の位置の情報から該部品の位置を明示した該画像形成装置の全体構成を示す構成図を生成する。
【００４５】
ネットワークＩ／Ｆ６５は、ＬＡＮ（Local Area Network）、インターネット等のネットワークＮＷに接続されている。ネットワークＩ／Ｆ６５は、ＣＰＵ６１の制御下で、ネットワークＮＷ上の機器、例えば、ホスト装置等との間で信号の授受を行い、ネットワークＮＷを介した他の機器との通信を行う。
【００４６】
エンジンＩ／Ｆ６６は、エンジン部５１に接続されており、コントローラ５０からエンジン部５１への制御信号や画像データ（描画データ）の出力及びエンジン部５１からコントローラ５０へのステータス信号の受け取り等を行う。また、エンジンＩ／Ｆ６６は、エンジン部５１に設けられているセンサ５２からの検出信号を、ＣＰＵ６１へ出力する。
【００４７】
操作表示部Ｉ／Ｆ６７は、操作表示部４０に接続されており、ＣＰＵ６１と操作表示部４０との間の信号や表示データ等の授受を行う。
【００４８】
外部Ｉ／Ｆ６８は、大容量給紙部２０が接続（装着）され、画像形成装置本体部１０への大容量給紙部２０の装着の有無を検出するとともに、装着されている場合には、大容量給紙部２０とコントローラ５０との間の信号の授受を行う。また、外部Ｉ／Ｆ６８は、大容量給紙部２０に設けられているセンサ２４からの検出信号を、ＣＰＵ６１へ出力する。
【００４９】
ＣＰＵ６１は、エンジン部５１のセンサ５２、大容量給紙部２０のセンサ２４及び後処理部３０のセンサ３５からの検出信号に基づいて、各部５１、２０、３０の部品の異常の有無、異常状態、異常の種類等を取得する。ＣＰＵ６１は、部品について異常状態を取得すると、部品の上記相関関係から該異常状態の影響を受けて動作に異常を生じる被異常部品を抽出し、該異常部品及び該被異常部品について該異常状態を示す状態表示情報を、上記構成図の該部品の配置位置に付与して、操作表示部４０のディスプレイに表示させる。
【００５０】
外部Ｉ／Ｆ６９は、後処理部３０が接続（装着）され、画像形成装置本体部１０への後処理部３０の装着の有無を検出するとともに、装着されている場合には、後処理部３０とコントローラ５０との間の信号の授受を行う。また、外部Ｉ／Ｆ６９は、後処理部３０に設けられているセンサ３５からの検出信号を、ＣＰＵ６１へ出力する。
【００５１】
なお、画像形成装置本体部１０の外部Ｉ／Ｆは、外部Ｉ／Ｆ６８、６９に限るものではなく、画像形成装置本体部１０に装着可能な部品の数だけ設けられている。
【００５２】
外部Ｉ／Ｆ６８、６９は、画像形成装置本体部１０に装着可能な全ての部品のうち、装着されている部品、例えば、大容量給紙部２０、後処理部３０及びこれらの搭載している部品を、装着部品として検出する。
【００５３】
ＣＰＵ６１は、外部Ｉ／Ｆ６８、６９の検出結果に基づいて、上記構成図として、装着部品のみからなる全体構成と該装着部品のみの配置位置を示す構成図を生成する。ＣＰＵ６１は、上記異常状態を示す状態表示情報を、該構成図の装着部品の配置位置に付与して、操作表示部４０のディスプレイに表示させる。
【００５４】
そして、画像形成装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の装置状態表示方法を実行するプログラムを読み込んでＲＯＭ６２やハードディスク６４に導入することで、後述する異常発生情報を利用性が良好な状態で表示する装置状態表示方法を実行する画像形成装置として構築されている。この装置状態表示方法を実行するプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００５５】
画像形成装置１は、本発明の装置状態表示方法を実行するプログラムが導入されることで、図７に示すような機能ブロックが構築される。すなわち、画像形成装置１は、該プログラムが導入されることで、表示部７１、構成情報記憶部７２、構成図生成部７３、相関関係記憶部７４、状態取得部７５、表示制御部７６、記号記憶部７７、装着検出部７８、対処情報記憶部７９及び表示指示部８０が構築される。
【００５６】
表示部７１は、操作表示部４０のディスプレイにより構築されており、情報を表示出力する。したがって、表示部７１は、表示手段として機能している。
【００５７】
構成情報記憶部７２は、ハードディスク６４により構築されており、画像形成装置１の全体構成と部品の配置位置の情報を記憶する。したがって、構成情報記憶部７２は、構成記憶手段として機能している。
【００５８】
構成図生成部７３は、ＣＰＵ６１により構築されており、画像形成装置１の全体構成と部品の配置位置の情報から該部品の位置を明示した画像形成装置１の全体構成を示す構成図を生成する。したがって、構成図生成部７３は、構成図生成手段として機能している。
【００５９】
相関関係記憶部７４は、ハードディスク６４により構築されており、画像形成装置１の動作における部品相互の相関関係を記憶する。したがって、相関関係記憶部７４は、相関関係記憶手段として機能している。
【００６０】
状態取得部７５は、センサ５２、センサ２４、センサ３５等で構築されており、画像形成装置１の状態を取得する。したがって、状態取得部７５は、状態取得手段として機能している。
【００６１】
表示制御部７６は、ＣＰＵ６１により構築されている。表示制御部７６は、状態取得部７５が部品について異常状態を取得すると、相関関係から該異常状態の影響を受けて動作に異常を生じる被異常部品を抽出する。表示制御部７６は、該異常部品及び取得した該被異常部品について該異常状態を示す状態表示情報を、上記構成図の該部品の配置位置に付与して、表示部７１に表示させる。したがって、表示制御部７６は、状態表示制御手段として機能している。
【００６２】
記号記憶部７７は、ハードディスク６４により構築されており、部品の状態を示すアイコン（状態表示記号）を記憶する。記号記憶部７７は、このアイコンを、給紙関連装着部品データベースＤＢ１１、排紙関連装着部品データベースＤＢ１２等の装着部品データベースに登録「１００％アイコン」等として記憶している。したがって、記号記憶部７７は、記号記憶手段として機能している。なお、アイコン自体の図形情報は、それぞれハードディスク６４で構築される記号記憶部７７に登録されている。
【００６３】
装着検出部７８は、外部Ｉ／Ｆ６８、６９等で構築されており、着脱可能な全ての部品のうち、装着されている部品を、装着部品として検出する。例えば、装着検出部７８は、例えば、大容量給紙部２０、後処理部３０及びこれらの搭載している部品を、装着部品として検出する。したがって、装着検出部７８は、装着検出手段として機能している。
【００６４】
対処情報記憶部７９は、ハードディスク６４により構築されており、部品の異常状態に対する上記対処情報を記憶する。したがって、対処情報記憶部７９は、対処情報記憶手段として機能している。
【００６５】
表示指示部８０は、操作表示部４０、特に、操作表示部４０の入力デバイスで構築されている。表示指示部８０は、装置状態表示方法において、部品の異常状態の影響を受けて動作に異常を生じる被異常部品の状態表示のオン／オフを指示するのに使用される。したがって、表示指示部８０は、表示指示手段として機能している。
【００６６】
次に、本実施例の作用を説明する。本実施例の画像形成装置１は、異常発生情報を利用性が良好な状態で表示する。
【００６７】
すなわち、画像形成装置１は、装着可能な全ての部品を含む全体構成と、該部品の配置位置の情報を、ハードディスク６４で構築される構成情報記憶部７２に記憶している。例えば、構成情報記憶部７２は、部品の配置位置の情報を、上記給紙関連総合部品データベースＤＢ１、排紙関連総合部品データベースＤＢ２等として記憶している。
【００６８】
そして、画像形成装置１は、構成図生成部７３が、全体構成と部品の配置位置の情報から、該部品の位置を明示した該画像形成装置の全体構成を示す構成図を生成する。
【００６９】
画像形成装置１は、相関関係記憶部７４が、画像形成装置１の動作における部品相互の相関関係を記憶しており、状態取得部７５が、画像形成装置１の状態を取得して、表示制御部７６に出力する。
【００７０】
表示制御部７６は、状態取得部７５が部品について異常状態を取得すると、相関関係記憶部７４の記憶している相関関係から該異常状態の影響を受けて動作に異常を生じる被異常部品を抽出する。表示制御部７６は、該異常部品及び該被異常部品について該異常状態を示す状態表示情報を、例えば、アイコンによって、構成図生成部７３の生成する構成図の該部品の配置位置に付与して、表示部７１に表示させる。
【００７１】
そして、表示制御部７６は、装置状態表示処理を行うために、まず、図８に示すように、被異常部品抽出処理を行う。表示制御部７６は、状態取得部７５が部品の異常状態を取得すると、まず、図８に示すように、異常状態の部品を特定する変数ｉを、「０」にセットする（ステップＳ１０１）。表示制御部７６は、変数ｉが、画像形成装置１の部品総数ｎ未満であるかチェックする（ステップＳ１０２）。なお、この部品総数ｎは、異常の発生した部品の属する系統、例えば、給紙系統、排紙系統、現像剤供給系統等毎の総合部品データベースに登録されている部品の総数である。
【００７２】
ステップＳ１０２で、変数ｉが、部品数ｎ未満（ｉ＜ｎ）のとき（ステップＳ１０２で、ＹＥＳのとき）、表示制御部７６は、部品ＩＤが変数ｉの部品の状態が異常状態であるかチェックする（ステップＳ１０３）。
【００７３】
ステップＳ１０３で、部品ＩＤが変数ｉの部品が異常でないとき（ステップＳ１０３で、ＮＯのとき）、表示制御部７６は、変数ｉを「１」だけインクリメント（ｉ＝ｉ＋１）する（ステップＳ１０４）。表示制御部７６は、変数ｉをインクリメントすると、ステップＳ１０２に戻って、上記同様に処理する（ステップＳ１０２〜Ｓ１０４）。
【００７４】
ステップＳ１０３で、部品ＩＤが変数ｉの部品が異常であると（ステップＳ１０３で、ＹＥＳのとき）、表示制御部７６は、被異常部品を検索するための変数ｊを全部品の総数（ｍａｘ）にセットする（ステップＳ１０５）。
【００７５】
なお、この全部品の総数は、異常の発生した部品の属する系統、例えば、給紙系統、排紙系統、現像剤供給系統等毎の総合部品データベースに登録されている部品の総数である。
【００７６】
次に、表示制御部７６は、変数ｊが、変数ｉ未満であるかチェックする（ステップＳ１０６）。すなわち、変数ｉ、ｊが示す部品ＩＤは、部材や信号等の流れの系統において、最も下流側（画像形成装置本体部１０に最も近い）の部品から上流側（遠い）の部品へと順番に大きくなる番号が付与されている。したがって、ステップＳ１０６では、表示制御部７６は、変数ｊの部品が、異常状態の変数ｉの部品よりも部材や信号等の流れの系統において、該異常状態の部品の影響を受ける下流側に位置しているかチェックする。
【００７７】
ステップＳ１０５で、変数ｊが変数ｉよりも大きいと（ステップＳ１０５で、ＹＥＳのとき）、表示制御部７６は、部品ＩＤ＝ｊの部品の状態を被異常状態とする（ステップＳ１０７）。すなわち、表示制御部７６は、変数ｊの部品が、変数ｉの部品の異常状態の影響を受けると判断する。
【００７８】
次に、表示制御部７６は、変数ｊを、「１」だけデクリメント（ｊ＝ｊ−１）し（ステップＳ１０８）、ステップＳ１０６に戻って、上記同様の処理を、ステップＳ１０６で、変数ｊが変数ｉに到達するまで繰り返し実行する（ステップＳ１０６〜Ｓ１０８）。
【００７９】
ステップＳ１０６で、変数ｊが変数ｉに到達すると（ステップＳ１０５で、ＮＯのとき）、表示制御部７６は、変数ｉをインクリメントして（ステップＳ１０４）、ステップＳ１０２に戻って、上記同様の処理を繰り返し行う（ステップＳ１０２〜S１０８）。
【００８０】
ステップＳ１０２で、変数ｉが部品数ｎに到達すると、表示制御部７６は、被異常部品の抽出が完了したとして、被異常部品抽出処理を終了する。
【００８１】
表示制御部７６は、被異常部品を抽出すると、該異常部品及び該被異常部品について該異常状態を示す状態表示情報を、構成図生成部７３の生成した構成図の該部品の配置位置に付与して、表示部７１に表示させる装置状態表示処理を行う。
【００８２】
この場合、表示制御部７６は、異常状態を示す状態表示記号（アイコン）を、記号記憶部７７から取得して、該アイコンを、構成図の部品上に、例えば、図９に示すように表示してもよい。図９では、大容量給紙部２０の画像形成装置本体部１０に近い方の給紙トレイ２１ａ、２１ｂに異常が発生していることを示す三角形とビックリマークを組み合わせた異常状態アイコンＭ１が、該給紙トレイ２１ａ、２１ｂ上に付加されている。また、図９では、大容量給紙部２０の画像形成装置本体部１０から遠い方の給紙トレイ２２ａ、２２ｂに異常の給紙トレイ２１ａ、２１ｂの影響を受ける被異常状態であることを示す丸とビックリマークを組み合わせた被異常状態アイコンＭ２が、該給紙トレイ２２ａ、２２ｂ上に付加されている。
【００８３】
このようにすると、部品の状態を簡素で明確な状態で表示することができる。
【００８４】
また、上記説明では、表示制御部７６は、被異常部品抽出処理を伴う装置状態表示処理を、総合部品データベースに基づいて、行っているが、装着されている部品を総合部品データベースから抽出した装着部品データベースに基いて行ってもよい。すなわち、表示制御部７６は、装着検出部７８の検出結果から、装着可能な部品のうち、装着されている部品を検出する。そして、表示制御部７６は、装着されている部品を検出すると、図３及び図４に示したように、給紙関連総合部品データベースＤＢ１、排紙関連総合部品データベースＤＢ２等の総合部品データベースの、「接続」項目に、接続（装着）の有無を登録する。表示制御部７６は、被異常部品抽出処理を行う前に、給紙関連総合部品データベースＤＢ１、排紙関連総合部品データベースＤＢ２等の総合部品データベースから給紙関連装着部品データベースＤＢ１１、排紙関連装着部品データベースＤＢ１２等の装着部品データベースを抽出する。表示制御部７６は、抽出した装着部品データベースを用いて、図８に示した被異常部品抽出処理を行う。
【００８５】
このようにすると、検査する変数ｉ及び変数ｊの数を少なくすることができ、処理速度を高速化することができる。
【００８６】
また、表示制御部７６は、抽出した装着部品データベースを、構成図生成部７３に渡して、構成図として、装着されている部品のみを明示する構成図を作成させてもよい。
【００８７】
このようにすると、構成図をより一層明確なものとすることができる。
【００８８】
さらに、画像形成装置１は、構成図生成部７３が、全部品または装着部品で構築される全体構成とその部品の構成図を生成するが、部品のうち、保守管理に必要な主要部品のみの配置位置を示す構成図を生成してもよい。この場合、相関関係記憶部７４は、画像形成装置１の動作における主要部品相互の相関関係を記憶し、表示制御部７６は、異常状態を示す状態表示情報を、上記構成図の主要部品の配置位置に付与して、表示部７１に表示させる。
【００８９】
このようにすると、構成図の生成を簡略化することができるとともに、構成図の明確化を図ることができる。
【００９０】
また、表示制御部７６は、装置状態表示処理においては、対処情報記憶部７９に記憶されている異常状態の部品の該異常状態に対する対処情報を取得して、表示部７１に表示させてもよい。この場合、表示制御部７６は、例えば、用紙ジャムが給紙トレイ２１ａに発生している場合、給紙トレイ２１ａの部品の図の近くに、「ジャム紙を取り除いてください。」等の対処情報を表示する。
【００９１】
このようにすると、部品の異常に対する対処を速やかにかつ容易に施すことができ、画像形成装置１の稼働性を向上させることができる。
【００９２】
さらに、表示制御部７６は、装置状態表示処理においては、異常部品と被異常部品についての状態情報を、該異常部品と該被異常部品を区別可能な状態で、表示部７１に表示させてもよい。例えば、表示制御部７６は、図９に示したように、異常部品に付与する異常状態を示すアイコンＭ１と、被異常部品に付与する異常状態を示すアイコンＭ２とを異ならせる。
【００９３】
このようにすると、異常部品と被異常部品を明確に区別して認識させることができ、異常状態に対する対応処理の適切化を向上させることができる。
【００９４】
また、表示制御部７６は、装置状態表示書理において、被異常部品の状態表示のオン／オフを指示する表示指示部８０によるオン／オフの指示に応じて、表示部７１による被異常部品の状態表示を制御してもよい。
【００９５】
このようにすると、ユーザ等の必要に応じて被異常部品の状態表示のオン／オフを制御することができ、異常部品のみを、より分かりやすい状態で表示させる等により、利用性を向上させることができる。
【００９６】
さらに、表示制御部７６は、異常部品の異常状態の異常の程度に基いて、被異常部品の状態表示を行うか否か制御してもよい。
【００９７】
このようにすると、異常部品の異常状態が重要ではない場合に、被異常部品の状態表示をオフにすることで、状態表示を簡略で、明確なものとすることができ、利用性を向上させることができる。
【００９８】
このように、本実施例の画像形成装置１は、複数の部品を備え、画像形成する画像形成装置において、情報を表示出力する表示部（表示手段）７１と、前記画像形成装置１の全体構成と前記部品の配置位置の情報を記憶する構成情報記憶部（構成記憶手段）７２と、前記画像形成装置１の全体構成と前記部品の配置位置の情報から該部品の位置を明示した該画像形成装置１の全体構成を示す構成図を生成する構成図生成部（構成図生成手段）７３と、前記画像形成装置１の動作における前記部品相互の相関関係を記憶する相関関係記憶部（相関関係記憶手段）７４と、前記画像形成装置１の状態を取得する状態取得部（状態取得手段）７５と、前記状態取得部７５が前記部品について異常状態を取得すると、前記相関関係から該異常状態の影響を受けて動作に異常を生じる被異常部品を抽出し、該異常部品及び該被異常部品について該異常状態を示す状態表示情報を、前記構成図の該部品の配置位置に付与して、前記表示部７１に表示させる表示制御部（状態表示制御手段）７６と、を備えている。
【００９９】
したがって、画像形成装置１の全体の構成図に、異常の発生した異常部品だけでなく、該異常部品の異常状態の影響を受ける被異常部品をもその状態情報を表示することができる。その結果、異常発生情報を利用性が良好な状態で表示することができ、異常発生に対する対処を向上させることができる。
【０１００】
また、本実施例の画像形成装置１は、複数の部品を備え、画像形成する画像形成装置の実行する装置状態表示方法であって、情報を表示部（表示手段）７１に表示出力する表示処理ステップと、前記画像形成装置１の全体構成と前記部品の配置位置の情報を記憶する構成情報記憶部（構成記憶手段）７２から該全体構成と該配置位置を取得して、該部品の位置を明示した該画像形成装置１の全体構成を示す構成図を生成する構成図生成処理ステップと、前記画像形成装置１の状態を取得する状態取得処理ステップと、前記状態取得処理ステップで前記部品について異常状態が取得されると、相関関係記憶部（相関関係記憶手段）７４の記憶する前記画像形成装置１の動作における前記部品相互の相関関係から該異常状態の影響を受けて動作に異常を生じる被異常部品を抽出し、該異常部品及び該被異常部品について該異常状態を示す状態表示情報を、前記構成図の該部品の配置位置に付与して、前記表示処理ステップで前記表示部７１に表示させる状態表示制御処理ステップと、を有する装置状態表示方法を実行する。
【０１０１】
したがって、画像形成装置１の全体の構成図に、異常の発生した異常部品だけでなく、該異常部品の異常状態の影響を受ける被異常部品をもその状態情報を表示することができる。その結果、異常発生情報を利用性が良好な状態で表示することができ、異常発生に対する対処を向上させることができる。
【０１０２】
さらに、本実施例の画像形成装置１は、複数の部品を備え、画像形成する画像形成装置が、ＣＰＵ６１等の制御プロセッサに、情報を表示部（表示手段）７１に表示出力する表示処理と、前記画像形成装置１の全体構成と前記部品の配置位置の情報を記憶する構成情報記憶部（構成記憶手段）７２から該全体構成と該配置位置を取得して、該部品の位置を明示した該画像形成装置１の全体構成を示す構成図を生成する構成図生成処理と、前記画像形成装置１の状態を取得する状態取得処理と、前記状態取得処理で前記部品について異常状態が取得されると、相関関係記憶部（相関関係記憶手段）７４の記憶する前記画像形成装置１の動作における前記部品相互の相関関係から該異常状態の影響を受けて動作に異常を生じる被異常部品を抽出し、該異常部品及び該被異常部品について該異常状態を示す状態表示情報を、前記構成図の該部品の配置位置に付与して、前記表示処理で前記表示部７１に表示させる状態表示制御処理と、を実行させるプログラムを搭載している。
【０１０３】
したがって、画像形成装置１の全体の構成図に、異常の発生した異常部品だけでなく、該異常部品の異常状態の影響を受ける被異常部品をもその状態情報を表示することができる。その結果、異常発生情報を利用性が良好な状態で表示することができ、異常発生に対する対処を向上させることができる。
【０１０４】
また、本実施例の画像形成装置１は、前記部品の状態を示すアイコン（状態表示記号）を記憶する記号記憶部（記号記憶手段）７７を、さらに備え、前記表示制御部７６が、前記異常部品及び前記被異常部品について、前記異常状態を示す前記アイコンを前記記号記憶部７７から取得して、前記構成図の該部品の配置位置に該アイコンを付与して、前記表示部７１に表示させる。
【０１０５】
したがって、部品の状態を簡素で明確な状態で表示することができ、異常発生情報を利用性がより一層良好な状態で表示することができる。その結果、異常発生に対する対処をより一層向上させることができる。
【０１０６】
さらに、本実施例の画像形成装置１は、着脱可能な全ての部品のうち、装着されている部品を、装着部品として検出する装着検出部（装着検出手段）７８を、さらに備え、前記構成情報記憶部７２が、前記画像形成装置１の全体構成として、装着可能な全ての部品を含む全体構成を記憶し、前記部品の配置位置として、装着可能な全ての部品の配置位置を記憶し、前記構成図生成部７３が、前記構成図として、前記装着部品のみからなる全体構成と該装着部品のみの配置位置を示す構成図を生成し、前記表示制御部７６が、前記異常状態を示す状態表示情報を、前記構成図の前記装着部品の配置位置に付与して、前記表示部７１に表示させる。
【０１０７】
したがって、着脱可能な部品の着脱状態に応じた全体構成と部品配置に応じた構成図に、異常部品と被異常部品の異常状態情報を表示することができる。その結果、異常発生情報を利用性がより一層良好な状態で表示することができ、異常発生に対する対処をより一層向上させることができる。すなわち、画像形成装置１の構成の変更、特に、拡張ユニットや拡張部品の追加、削除等が行われた場合に、拡張部品における異常の影響や拡張部品への異常の影響についても、表示することができ、より一層利用性が良好な状態で異常発生情報を表示することができる。
【０１０８】
また、本実施例の画像形成装置１は、前記構成図生成部７３が、前記構成図として、前記画像形成装置１の全体構成と、前記部品のうち、保守管理に必要な主要部品のみの配置位置を示す構成図を生成し、前記相関関係記憶部７４が、前記画像形成装置１の動作における前記主要部品相互の相関関係を記憶し、前記表示制御部７６が、前記異常状態を示す状態表示情報を、前記構成図の前記主要部品の配置位置に付与して、前記表示部７１に表示させる。
【０１０９】
したがって、部品の状態をより一層簡素で明確な状態で表示することができ、異常発生情報を利用性がより一層良好な状態で表示することができる。その結果、異常発生に対する対処をより一層向上させることができる。
【０１１０】
さらに、本実施例の画像形成装置１は、前記部品の異常状態に対する対処情報を記憶する対処情報記憶部（対処情報記憶手段）７９を、さらに備え、前記表示制御部７６が、前記状態表示情報とともに、前記異常部品の前記異常状態に対する前記対処情報を前記表示部７１に表示させる。
【０１１１】
したがって、異常発生情報を利用性がより一層良好な状態で表示することができ、異常発生に対する対処をより一層向上させることができる。
【０１１２】
また、本実施例の画像形成装置１は、前記表示制御部７６が、前記異常部品と前記被異常部品についての前記状態情報を、該異常部品と該被異常部品を区別可能な状態で、前記表示部７１に表示させる。
【０１１３】
したがって、異常部品と被異常部品を明確に区別して認識させることができ、異常発生情報を利用性がより一層良好な状態で表示することができる。その結果、異常発生に対する対処をより一層向上させることができる。
【０１１４】
さらに、本実施例の画像形成装置１は、前記表示制御部７６による前記被異常部品の前記状態表示のオン／オフを指示する表示指示部（表示指示手段）８０を、さらに備え、前記表示制御部７６が、前記表示指示部８０によるオン／オフの指示に応じて、前記表示部７１による前記被異常部品の前記状態表示を制御する。
【０１１５】
したがって、ユーザ等の必要に応じて被異常部品の状態表示のオン／オフを制御することができ、異常部品のみを、より分かりやすい状態で表示させる等により、利用性を向上させることができる。
【０１１６】
また、本実施例の画像形成装置１は、前記表示制御部７６が、前記異常部品の前記異常状態の異常の程度に基いて、前記被異常部品の前記状態表示を行うか否か制御する。
【０１１７】
したがって、異常部品の異常状態が重要ではない場合に、被異常部品の状態表示をオフにすることで、状態表示を簡略で、明確なものとすることができ、利用性を向上させることができる。
【０１１８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１１９】
１  画像形成装置
１０  画像形成装置本体部
１１  本体筐体
１２ａ、１２ｂ  給紙トレイ
１３  用紙搬送路
１４  感光ドラム
１５  露光部
１６  現像・転写ユニット
１７  トナーボトル
１８  定着部
２０  大容量給紙部
２１ａ、２１ｂ、２２ａ、２２ｂ  給紙トレイ
２３  用紙搬送路
２４  センサ
３０  後処理部
３１、３２、３３  後処理部
３１ａ、３２ａ、３３ａ  排紙トレイ
３４  用紙搬送路
３５  センサ
４０  操作表示部
５０  コントローラ
５１  エンジン部
５２  センサ
６１  ＣＰＵ
６２  ＲＯＭ
６３  ＲＡＭ
６４  ハードディスク
６５  ネットワークＩ／Ｆ
６６  エンジンＩ／Ｆ
６７  操作表示部Ｉ／Ｆ
６８、６９  外部Ｉ／Ｆ
７０  バス
７１  表示部
７２  構成情報記憶部
７３  構成図生成部
７４  相関関係記憶部
７５  状態取得部
７６  表示制御部
７７  記号記憶部
７８  装着検出部
７９  対処情報記憶部
８０  表示指示部
【先行技術文献】
【特許文献】
【０１２０】
【特許文献１】特開２０１２−０５８５８８号公報
【図１】
2016177207.tif 000003
【図２】
2016177207.tif 000004
【図３】
2016177207.tif 000005
【図４】
2016177207.tif 000006
【図５】
2016177207.tif 000007
【図６】
2016177207.tif 000008
【図７】
2016177207.tif 000009
【図８】
2016177207.tif 000010
【図９】
2016177207.tif 000011